(57)【要約】  本発明により、ペンタフルオロプロパンと、デカフルオロプロパン、ペンタフルオロブチルメチルエーテル、およびこれらの組み合わせからなる群より選択される第２の成分と、メタノール、1,2-trans-ジクロロエチレン、およびこれらの組み合わせからなる群より選択される第３の成分とを含んでなる組成物が提供される。さらに、本発明により、この組成物を含む、冷媒、発泡剤、フォーム組成物、ポリオールプレミックス、独立気泡フォーム、噴霧可能な組成物、およびこれらの類似物が提供される。【特許請求の範囲】
【請求項１】
1,1,1,3,3-ペンタフルオロプロパンと、
1,1,1,2,2,3,4,5,5,5-デカフルオロペンタン、パーフルオロブチルメチルエーテル、およびこれらの組み合わせからなる群より選択される第２の成分と、
メタノール、1,2-trans-ジクロロエチレン、およびこれらの組み合わせからなる群より選択される第３の成分と
を含んでなる沸点が比較的一定の組成物であって、
14.7 psiaにおいて約22℃±7℃の沸点を有する上記組成物。
【請求項２】
約37〜約75重量％の1,1,1,3,3-ペンタフルオロプロパンと、
約3〜約60重量％の、1,1,1,2,2,3,4,5,5,5-デカフルオロペンタン、パーフルオロブチルメチルエーテル、およびこれらの組み合わせからなる群より選択される第２の成分と、
約1〜約60重量％のメタノールと
を含んでなる請求項１に記載の組成物。
【請求項３】
14.7 psiaにおいて約20℃±5℃の沸点を有する、請求項２に記載の組成物。
【請求項４】
約40〜約70重量％の1,1,1,3,3-ペンタフルオロプロパンと、
約10〜約50重量％の前記第２の成分と、
約5〜約50重量％のメタノールと
を含んでなる請求項２に記載の組成物であって、
14.7 psiaにおいて約23℃±5℃の沸点を有する上記組成物。
【請求項５】
約40〜約65重量％の1,1,1,3,3-ペンタフルオロプロパンと、
約20〜約40重量％の前記第２の成分と、
約10〜約40重量％のメタノールと
を含んでなる請求項４に記載の組成物。
【請求項６】
前記第２の成分が1,1,1,2,2,3,4,5,5,5-デカフルオロプロパンから本質的になる、請求項１に記載の組成物。
【請求項７】
前記第２の成分がパーフルオロブチルメチルエーテルから本質的になる、請求項１に記載の組成物。
【請求項８】
請求項１に記載の組成物を含む組成物を発泡させることを含む、フォームの製造方法。
【請求項９】
噴霧される材料と、請求項１に記載の組成物を含む噴射剤とを含んでなる、噴霧可能な 組成物。
【請求項１０】
約25〜約75重量％の1,1,1,3,3-ペンタフルオロプロパンと、
約15〜約60重量％の、1,1,1,2,2,3,4,5,5,5-デカフルオロプロパン、パーフルオロブチルメチルエーテル、およびこれらの組み合わせからなる群より選択される第２の成分と、
約1〜約60重量％の1,2-trans-ジクロロエチレンと
を含んでなる請求項１に記載の組成物。
【請求項１１】
14.7 psiaにおいて約20℃±5℃の沸点を有する、請求項１４に記載の組成物。
【請求項１２】
約25〜約70重量％の1,1,1,3,3-ペンタフルオロプロパンと、
約25〜約50重量％の前記第２の成分と、
約5〜約50重量％の1,2-trans-ジクロロエチレンと
を含んでなる請求項１４に記載の組成物であって、
14.7 psiaにおいて約23℃±5℃の沸点を有する上記組成物。
【請求項１３】
約25〜約65重量％の1,1,1,3,3-ペンタフルオロプロパンと、
約35〜約45重量％の前記第２の成分と、
約10〜約40重量％の1,2-trans-ジクロロエチレンと
を含んでなる、請求項１６に記載の組成物。
【請求項１４】
前記第２の成分が1,1,1,2,2,3,4,5,5,5-デカフルオロプロパンから本質的になる、請求項１４に記載の組成物。
【請求項１５】
前記第２の成分がパーフルオロブチルメチルエーテルから本質的になる、請求項１４に記載の組成物。
【請求項１６】
請求項１４に記載の組成物を含む組成物を発泡させることを含む、フォームの製造方法。
【請求項１７】
噴霧される材料と、請求項１４に記載の組成物を含む噴射剤とを含む、噴霧可能な組成物。
【発明の詳細な説明】
【発明の開示】
【０００１】
［発明の分野］
本発明は、一般に、ペンタフルオロプロパンを含む組成物に関する。より具体的には、本発明により、ペンタフルオロプロパンを含んでなる沸点が比較的一定の組成物、およびその使用が提供される。
【０００２】
［関連出願の参照］
本出願は、2001年12月18日の出願日が認められた米国仮出願第60/342,067号に基づく優先権を主張する。
【０００３】
［背景］
ハイドロフルオロカーボン系組成物は、環境的に好ましくない傾向のあるクロロフルオロカーボン（「CFC」）および／またはハイドロクロロフルオロカーボン（「HCFC」）組成物の代替物としての使用に関して興味を持たれている。具体的には、ハイドロフルオロカーボン（「HFC」）と非HFC液体との混合物を含んでなる組成物が、エアロゾルや他の噴霧可能な組成物における噴射剤を始めとする、広い範囲の用途における使用に関して興味を持たれていることを、出願人らは認識している。残念なことに、HFCと非HFCとの典型的な混合物をエアロゾルで使用することには多くの欠点が伴うことを、出願人らは把握している。
【０００４】
エアロゾルにおけるHFCと非HFCとの典型的な混合物の使用に関する１つの欠点は、異なるHFC／非HFC混合物（同じ成分を含むが、それらの相対的な濃度がわずかに異なるものを含む）が、極めて異なる性質を有する噴霧可能な製品となりやすいことである。例えば、エアロゾルおよび他の加圧された噴霧可能な製品の重要な性質は、スプレー自体の性質である。スプレーは、例えば、「ミスト」と「ストリーム（streams）」、または「ドライ」と「ウェット」などのように特徴づけられる。エアロゾルのスプレー特性はいくつかの要因により決定されるが、最も重要な要因の１つが圧力である。エアロゾルまたは他の噴霧可能な製品において圧力が変化すると、スプレーの特性が極めて大きく変化することが、この技術分野においてよく知られている。例えば、一般に、圧力が高くなると、よりミスト状のスプレーが形成され、圧力が低くなると、よりストリーム状のスプレーが形成される。典型的なエアロゾルの圧力は、配合中の噴射剤の量および種類と、配合中の溶媒の量および種類との関数である。高沸点、それゆえ低圧な溶媒を配合中に含ませると、最終的な製品の圧力が低下する傾向があるが、低沸点、それゆえ高圧な溶媒を含ませると、最終製品の圧力が上昇する傾向がある。
【０００５】
残念なことに、この技術分野で知られているように、HFCと非HFCとの混合物は、混合物中のHFC成分と非HFC成分との相対比の比較的小さな変化によって、沸点が極めて大きく変化してしまう傾向がある。その結果、僅かに異なるHFCと非HFCとの混合物から、極めて異なるスプレー特性を有する噴霧可能な組成物が形成される。したがって、２以上のHFCと非HFCとの溶媒の組み合わせが、所定のスプレー用途おける使用に適しているような場合でも、同じ２以上のHFCと非HFCとの溶媒であるが、そのHFCと非HFC溶媒との相対濃度がほんの僅かだけ異なる組み合わせは、同じ用途には適していないことがある。
【０００６】
出願人らは、比較的一定の沸点および蒸気圧（つまり、混合物の成分の相対濃度が変化しても、沸点および蒸気圧が比較的少ししか変化しない）を有する、２以上のHFCと非HFC溶媒との組み合わせが好ましいと評価するに至った。このような混合物を製造する場合、沸点および蒸気圧が比較的一定であることによって、広範囲の組成物が、所定のスプレー用途において使用できるようになるだろう。残念なことに、沸点及び蒸気圧が比較的一定である特性を有するHFCと非HFCとの混合物は一般的でなく、予測することができない。
【０００７】
［発明の詳細な説明および好ましい態様］
本発明は、比較的一定の沸点および蒸気圧特性を示すHFC組成物を提供することによって、上述の欠点を克服する。具体的には、出願人らは、1,1,1,3,3-ペンタフルオロプロパン（「HFC-245fa」）と、1,1,1,2,2,3,4,5,5,5-デカフルオロペンタン（「HFC-4310」）、パーフルオロブチルメチルエーテル（「HFE-449」）、およびこれらの組み合わせからなる群より選択される第２の成分と、メタノール、1,2-trans-ジクロロエチレン（「Trans」）、およびこれらの組み合わせからなる群より選択される第３の成分とを含んでなる、沸点が比較的一定の組成物を同定した。
【０００８】
本明細書において用いられるように、「沸点が比較的一定の組成物」（または、短縮して「RCPB組成物」）という語は、２以上の成分を含み、その組成物の沸点が（1）個々の成分の最も高い沸点と最も低い沸点との間にあり、その組成物の沸点が（2）成分の相対濃度の所定の変化に対し予想されるよりも少なく変化する、組成物を指す。沸点に関する第１の特徴について、本発明の組成物の沸点は、個々の成分の最高の沸点と最低の沸点との間にあるため、共沸ではない（共沸でない組成物であっても共沸様（azeotrope-like）である場合があることに留意すべきである）。本発明の非共沸組成物であるRCBP組成物は、沸騰している間、本発明の組成物のより揮発性の高い成分が揮発することにより、成分の相対濃度が変化する。沸点に関する第２の特徴について、共沸組成物の沸点がその本質的な特性から予測不能である一方で、非共沸組成物の沸点は、組成物中の各成分の沸点および相対濃度を基にして予測することが可能であることが従来からの知識により示唆される。しかしながら、成分の相対濃度の所定の変化に対し、RCBP組成物は、公知の予測法を用いて予測しうるものよりも沸点の変化が小さいことを、出願人らは、予期せず、見出した。
【０００９】
従来の大部分の非共沸組成物に対して、当業者は、多くの公知の方法の１つを用いることによって、予想される沸点の変化について計算することができる。おそらく、最も一般的な方法は、正則溶液モデル（Regular Solution Model）（これは、Prausnitz, Lichtenthaler, Azevedoら「Molecular Thermodynamics of Fluid-Phase Equilibria」,Prentice-Hall, Inc. （第２版）, pp. 279-290、およびBarton,「CRC Handbook of Solubility Parameters and Other Cohesion Parameters」, CRC Press, Inc. （第４刷1988）, pp. 27- 35に説明されており、これらの両方を、参照により本明細書に記載されているものとする）を用いるものである。様々な組成に対する予想沸点曲線を予想するための他の一般的な方法は、ウィルソンモデル（WilsonModel）（これは、Acree, Jr. 「Thermodynamic Properties of Nonelectrolyte Solutions」, Academic Press （1984） 90-97,180-189に説明されており、これを参照により本明細書に含める）を用いるものである。説明のためと簡便にするため、他に特に記載がない限り、本明細書における「予想」沸点、「予想」沸点の変化、または「予想」沸点のためのデータは、正則溶液モデルまたはウィルソンモデルを用いて計算されたと考えられる。
【００１０】
従来、正則溶液モデルを用いて、各成分（例えば、成分Aおよび成分B）の相対濃度の変化に応じた、「正則溶液」組成物に対する沸点曲線を予測する。AおよびBの純粋な組成物について特徴的な特性値を入力することによって、正則溶液モデル方程式により、成分Aおよび成分Bの種々の相対濃度を有する組成物に対する予想沸点（つまり、100重量%のAと0重量%のBとを含んでなる組成物の沸点から、0重量%のAと100重量%のBとを含んでなる組成物の沸点）を比較的迅速に予測する方法が提供される（ここで、本明細書で示されるすべての重量％は、特に示されない限り、組成物の全体の重量に基づいている）。一般に予想されるように、正則溶液として振る舞う組成域における沸点曲線は、かなり傾きが大きく（positive slope）、この範囲における組成物は、沸騰または蒸発によってかなりの液体組成の変化を示すことが示唆される。種々の相対濃度の成分Aと成分Bとを有する組成物に対する実際の沸点曲線を、実験的に測定およびプロットし、その実験データが、予測された曲線と実質的に一致する場合、この組成物は「正則溶液」である。しかしながら、組成物の現実の沸点曲線が、正則溶液モデルよりも、より小さい正の傾き（より平らな傾き、またはゼロに近い傾き）を示す場合、この範囲にある組成物は、成分の相対濃度の変化に対して、沸点の変化が、比較的顕著でなく、しばしばほとんど微小である。このような組成物としては、本発明の、沸点が比較的一定である組成物がある。
【００１１】
ウィルソンモデルは、幅広い範囲の相対濃度の成分Ａと成分Ｂとを有する組成物の沸点を予測するために従来用いられている数学的モデルであって、正則溶液のような挙動を示すこともあれば、そうでないこともある。ウィルソンモデルは、少なくとも部分的に、正則溶液モデルとは異なる。ウィルソンモデルでは、ユーザーは純粋なＡ成分および純粋なＢ成分の特性値を入力することができるだけでなく、ＡとＢとの混合物について既に知られている特性値または既に測定されている特性値を入力することができる。したがって、純粋なAと純粋なBとの間の、成分Aと成分Bの相対濃度を有するAとBとの混合物のいくつかについての特性値を、ユーザーが与えられている場合やユーザーが知っている場合、このようなデータを、純粋なAおよび純粋なBに関するデータと共に、ウィルソンモデルに組み込んで、種々の相対濃度の成分Aと成分Bとを含むいかなる組成物についての沸点を推定する。ウィルソンモデルでは、正則溶液モデルよりも、公知のデータをより組み込むことができるため、ウィルソンモデルによって予測された曲線は、正則溶液モデルよりも、現実に測定した曲線に近いものになりやすい。したがって、AとBとの混合物の沸点を実験的に測定してプロットすると、当業者は、得られたグラフがウィルソンモデルによって予測された沸点のグラフと似ているかまたは似た傾きを有することを予想できるだろう。しかし、本出願人は、ある組成物において、現実の沸点曲線が、ウィルソンモデルから予想された曲線と異なり、正の傾きがより小さく（より平らな傾きまたはよりゼロに近い傾き）なることを見出した。。このような組成物としては、本発明の目的に対するRCPB組成物がある。
【００１２】
本出願人は、本発明のHFC-245fa系組成物がRCBP組成物であることを、予期せず見い出すに至った。特に、本出願人は、本発明の組成物について実験的に測定した沸点曲線が、上記の正則溶液モデルやウィルソンモデルを用いて予測した沸点曲線の傾きよりも、予想外にかつ極めて平らな傾きを有することを確認した。
【００１３】
一例として、本出願人らは、HFC-245faと、HFC-4310、HFE-449、およびこれらの混合物から選択される第２の成分との混合物を提供し、提供された混合物に、メタノール、Trans（1,2-trans-ジクロロエチレン）、およびこれらの混合物から選択される少量の第３成分を添加することによって、本発明の組成物について、沸点および沸点の傾きを評価した。第３の成分を各々添加した後、本組成物の沸点を測定した。組成物中の第３成分の重量％（Ｘ軸）の関数として、測定された沸点温度（Ｙ軸）をプロットしたところ、予想されるプロットの傾きよりも、かなり平らな傾きを有するプロットとなった。
【００１４】
ある好ましい態様によると、本発明の組成物に対する沸点曲線の勾配（傾き）は、10重量％の第３成分につき約1.25度以下である。この傾きは、好ましくは、10重量％の第３成分につき約1度かそれ未満であり、さらに好ましくは、10重量％の第３成分につき約0.8度かそれ未満であり、さらにより好ましくは、10重量％の第３成分につき約0.7度かそれ未満であり、さらにまた好ましくは、10重量％の第３成分につき約0.6度かそれ未満である。
【００１５】
好ましい態様においては、本発明の組成物の沸点は、比較的一定である。ある好ましい態様によると、本発明の組成物は、14.7 psiaにおいて約22℃±7℃の沸点を有し、より好ましくは、14.7 psiaにおいて約23℃±5℃、よりさらに好ましくは14.7 psiaにおいて23℃±4℃の沸点を有し、さらにより好ましいある態様においては、23℃±3℃の沸点である。他の好ましいある態様においては、本発明の組成物は、14.7 psiaにおいて20℃±5℃の沸点を有する。
【００１６】
本発明の組成物は、好ましいある態様によると、HFC-245faと、HFC-4310、HFE-449、およびこれらの組み合わせからなる群より選択される第２の成分と、メタノール、Trans（1,2-trans-ジクロロエチレン）、およびこれらの組み合わせからなる群より選択される第３の成分とを含んでなる。本発明の組成物は、好ましいある態様によると、HFC-245faと、HFC-4310、HFE-449、およびこれらの組み合わせからなる群より選択される第２の成分と、メタノール、Trans（1,2-trans-ジクロロエチレン）、およびこれらの組み合わせからなる群より選択される第３の成分とから本質的になる。
【００１７】
ペンタフルオロプロパン／デカフルオロプロパン／メタノール
本発明の１つの実施態様よれば、HFC-245faとHFC-4310とメタノールとを含んでなる組成物、好ましくは、HFC-245faとHFC-4310とメタノールとから本質的になる組成物が提供される。好ましくは、これらの態様により、約37〜約75重量％のHFC-245faと約3〜約60重量％のHFC-4310と約1〜約60重量％のメタノールとを含んでなる組成物、好ましくは、約37〜約75重量％のHFC-245faと約3〜約60重量％のHFC-4310と約1〜約60重量％のメタノールとから本質的になる組成物が提供される。
【００１８】
本態様の好ましい組成物、より好ましい組成物、および最も好ましい組成物を表１に記載した。表１の数値範囲は、「約」という語が前に付いているものと理解されたい。
【００１９】
【表１】
2005513181.tif 000002
【００２０】
ペンタフルオロプロパン／デカフルオロプロパン／1,2-trans-ジクロロエチレン
本発明の他の態様によれば、HFC-245faとHFC-4310とTrans（1,2-trans-ジクロロエチレン）とを含んでなる組成物、好ましくは、HFC-245faとHFC-4310とTrans（1,2-trans-ジクロロエチレン）とから本質的になる組成物が提供される。好ましくは、これらの態様により、約25〜約75重量％のHFC-245faと、約15〜約60重量％のHFC-4310と、約1〜約60重量％のTrans（1,2-trans-ジクロロエチレン）とを含んでなる組成物、好ましくは、約25〜約75重量％のHFC-245faと、約15〜約60重量％のHFC-4310と、約1〜約60重量％のTrans（1,2-trans-ジクロロエチレン）とから本質的になる組成物が提供される。
【００２１】
本態様の好ましい組成物、より好ましい組成物、および最も好ましい組成物を表２に記載した。表２の数値範囲は、「約」という語が前に付いているものと理解されたい。
【００２２】
【表２】
2005513181.tif 000003
【００２３】
ペンタフルオロプロパン／パーフルオロブチルメチルエーテル／メタノール
本発明の他の態様によれば、HFC-245faとHFE-449とメタノールとを含んでなる組成物、好ましくは、HFC-245faとHFE-449とメタノールとから本質的になる組成物が提供される。好ましくは、これらの態様により、約37〜約75重量％のHFC-245faと、約3〜約60重量％のHFE-449と、約1〜約60重量％のメタノールとを含んでなる組成物、好ましくは、約37〜約75重量％のHFC-245faと、約3〜約60重量％のHFE-449と、約1〜約60重量％のメタノールとから本質的になる組成物が提供される。
【００２４】
本態様の好ましい組成物、より好ましい組成物、および最も好ましい組成物を表３に記載した。表３の数値範囲は、「約」という語が前に付いているものと理解されたい。
【００２５】
【表３】
2005513181.tif 000004
【００２６】
ペンタフルオロプロパン／パーフルオロブチルメチルエーテル／1,2-trans-ジクロロエチレン
本発明の他の態様によれば、ペンタフルオロプロパンと、好ましくは、HFC-245faと、HFE-449と、Trans（1,2-trans-ジクロロエチレン）とを含んでなる組成物、好ましくは、ペンタフルオロプロパンと、好ましくは、HFC-245faと、HFE-449と、Trans（1,2-trans-ジクロロエチレン）とから本質的になる組成物が提供される。好ましくは、これらの態様により、約25〜約75重量％のHFC-245faと、約15〜約60重量％のHFE-449と、約1〜約60重量％のTrans（1,2-trans-ジクロロエチレン）とを含んでなる組成物、好ましくは、約25〜約75重量％のHFC-245faと、約15〜約60重量％のHFE-449と、約1〜約60重量％のTrans（1,2-trans-ジクロロエチレン）とから本質的になる組成物が提供される。
【００２７】
本態様の好ましい組成物、より好ましい組成物、および最も好ましい組成物を表４に記載した。表４の数値範囲は、「約」という語が前に付いているものと理解されたい。
【００２８】
【表４】
2005513181.tif 000005
【００２９】
本発明の組成物の使用
本発明の組成物は、幅広い用途において有用性を有する。例えば、本発明の１つの態様は、噴霧可能な組成物における噴射剤／溶媒としての、本発明の組成物の使用に関する。一般に、噴霧可能なタイプの組成物は、噴霧される材料と、噴射剤／溶媒または噴射剤溶媒の混合物を含んでなる。噴霧可能な組成物を有用にするためには、噴霧される材料が、使用する噴霧剤／溶剤中に、比較的または実質的に溶解可能であることが必要である。HFC-245faなどのHFC類単独では、多くは、貧溶媒になる傾向があるが、本発明の組成物は、非可燃性を保ちつつ、比較的高い溶解性を示すことが、本出願人によって認められた。
【００３０】
幅広い範囲の噴霧可能な材料のいずれも、本発明の組成物と合わせて用いて、噴霧可能な組成物を製造することができる。適した材料としては、例えば、油および他の潤滑油（例えば、鉱物油）、離型剤（例えば、ポリジメチルシロキサンなどのシリコンオイル）、塗布剤（例えば、アクリル系）、洗剤、研磨剤、医療用材料（抗喘息薬および口臭防止剤）、および化粧材料（例えば、脱臭剤、芳香剤、ヘアスプレー）などを挙げることができるが、これに限定されない。
【００３１】
本発明の噴霧可能な組成物は、幅広い範囲の不活性成分、付加的な溶媒、および噴霧可能な組成物において従来用いられてきた他の材料をさらに含んでもよい。
【００３２】
さらに他の態様においては、本発明によって、発泡可能な組成物、好ましくはポリウレタン組成物およびポリイソシアヌレートフォーム組成物、およびフォームの調製方法が提供される。これらのフォームの態様においては、本発明の組成物の少なくとも１つが、発泡可能な組成物中に発泡剤として含有されている。この組成物は、好ましくは、適当な条件下で反応および発泡して、この技術分野においてよく知られたフォームや発泡構造体を形成することのできる、１以上の付加的な成分を含む。
【００３３】
また、本発明により、発泡可能な組成物を調製する方法が提供される。この技術分野において公知のすべての方法（例えば、「ポリウレタンの化学と技術」（"Polyurethanes Chemistry and Technology" Volumes I and II, Saunders and Frisch, 1962, John Wiley and Sons, New York, NY、この内容を参照により本明細書に含まれているものとする）に記載されているもの）を、本発明のフォームの態様にしたがって使用するために使用および付加することができる。一般に、このような方法には、イソシアネート、ポリオールまたはポリオール混合物、１以上の本発明の組成物を含んでなる発泡剤または発泡剤混合物、および他の材料（例えば、触媒、界面活性剤、および付加的に、難燃剤、着色剤、または他の添加剤）を混合することによって、ポリウレタンフォームまたはポリイソシアヌレートフォームを調製することが含まれる。予備混合された配合においてポリウレタンまたはポリイソシアヌレートフォームにこの成分を提供することは、多くの用途において便利である。最も典型的には、このフォーム配合を２つの成分に予備混合する。イソシアネートおよび付加的な界面活性剤および発泡剤が、第１の成分（一般に「Ａ」成分と呼ばれる）を構成する。ポリオールまたはポリオール混合物、界面活性剤、触媒、発泡剤、難燃剤、および他のイソシアネート反応性成分が、第２の成分（一般に、「Ｂ」成分と呼ばれる）を構成する。したがって、少量の配合の場合は手で、大量の配合の場合は機械的に、これらのＡおよびＢ成分を混合することにより、ポリウレタンまたはポリイソシアヌレートフォームが容易に製造され、ブロック（blocks）、スラブ、ラミネート、現場注入パネル（pour-in-place panels）および他の物品、噴霧されるフォーム、フロス（froths）などが形成される。付加的に、他の成分（例えば、難燃剤、着色剤、予備的な発泡剤、およびさらに他のポリオール）を第３の成分としてミキシングヘッドまたは反応サイトに添加してもよい。しかしながら、最も便利なのは、これらすべてを上述の１つのＢ成分に加えてしまうことである。
【００３４】
また、本発明は、本発明の組成物を含んでなる発泡剤を含むポリマーフォーム配合物から調製された、フォーム、好ましくは単独気泡のフォームに関する。
【００３５】
他の態様においては、本発明の組成物を、幅広い冷却系にすべてにおいて、冷媒として使用することができる。ある好ましい態様においては、本発明の組成物を、CFC-冷媒と合わせて従来用いられてきた潤滑油（鉱物油、シリコンオイルなど）を含む冷却系において使用することができる。HFC-含有冷媒は従来の冷却油（refrigeration lubricants）にほとんど溶解しない傾向があり、それゆえ、このような潤滑油とは混合しない傾向を有する。しかし、本出願人により、本発明の組成物の相対溶解度によって、これらが適したものとなり、場合によっては、従来の潤滑油と共に使用するための理想的な候補となることが認められた。さらに、本発明の組成物の沸点が比較的一定である性質により、これらは、多くの用途において冷媒として使用するにあたってより好ましいものとなる。
【００３６】
付加的な成分を添加して、本発明の組成物の特性を必要とされるものに調節することができる。例えば、油溶解助剤を、本発明の組成物が冷媒として使用される場合に、添加することができる。また、安定剤（stabilizer）および他の材料を添加して、本発明の組成物の特性を向上させることもできる。
【００３７】
［実施例］
本発明を、以下の非限定的な実施例によってさらに説明する。
【００３８】
［実施例１］
表５に示す量でHFC-245faとHFC-4310とを含む４つのサンプル（A、B、C、およびD）を調製し、上端にコンデンサを有する、真空ジャケット（vacuum-jacketed）付きの管からなる沸点測定器中に、各サンプルを別々に投入した。メタノールを各サンプルに、少量の、秤量した増加分だけ加えた。各サンプルの温度は、添加したメタノールの関数として記録した。十分なメタノールをサンプルに加え、得られた３成分の組成物が本発明の範囲内にある場合、この組成物の沸点は、約22℃＋または−7℃の範囲内にあり、より具体的には、約20℃＋または−5℃の範囲内にある。表６に、試験した種々の３成分系混合物、およびそれについて測定した沸点を示す。
【００３９】
【表５】
2005513181.tif 000006
【００４０】
【表６】
2005513181.tif 000007
【００４１】
［実施例２］
４つのサンプル（実施例１で調製したA、B、C、およびD）の各々を別々に、上端にコンデンサを有する、真空ジャケット付きの管からなる沸点測定器中に投入した。1,2-trans-ジクロロエチレンを、各サンプルに、少量の、秤量した増加分だけ加えた。各サンプルの温度は、添加したTrans（1,2-trans-ジクロロエチレン）の関数として記録した。十分なTrans（1,2-trans-ジクロロエチレン）をサンプルに加え、得られた３成分の組成物が本発明の範囲内にある場合、この組成物の沸点は、約23℃＋または−5℃の範囲内にあり、より具体的には、約18℃と約25℃の間にある。表７に、試験した種々の３成分系混合物、およびそれについて測定した沸点を示す。
【００４２】
【表７】
2005513181.tif 000008
【００４３】
［実施例３］
その上端にコンデンサを有する、真空ジャケット付きの管からなる沸点測定器に、5重量%のE-449と95重量%のHFC-245faとの混合物を約5グラム投入した。メタノールをこの混合物に、少量の、秤量した増加分だけ加えた。温度は、添加したメタノールの関数として記録した。十分なメタノールを添加し、全体の混合物が約35〜約60重量％のメタノールを含んでなるようになった場合、この組成物の沸点は、約22℃＋または−7℃の範囲内にあり、より具体的には、約20℃＋または−5℃の間にあった。同様に、表８に示した種々の３成分系混合物をこの方法で測定した。沸点は、約22℃＋または−7℃の範囲内だった。
【００４４】
【表８】
2005513181.tif 000009
【国際調査報告】
2005513181.tif 000010
2005513181.tif 000011